(57)【要約】【課題】気密性が高い開閉蓋付きの万年筆を得ることを目的とする。【解決手段】軸筒の内部にペンとペン芯とを重ねたペン先を前方に有した筆記体を前後動可能に収容し、弾性を有し筒状の弾性先首の前端部に蓋体を弾発部材の弾発力で当接させて前記軸筒の前方を閉塞し、前記軸筒に設けた操作部を操作することにより前記筆記体のペン先部にて前記蓋体を押動して開放する構造の開閉蓋付きの万年筆であって、前記弾性先首における前記蓋体と接触する前端部に、外縁部と内縁部と該外縁部と該内縁部との間に形成した溝部とを設け、当該外縁部の前端面と当該内縁部の前端面にグリスが塗布され、前記溝部にグリスが充填されたことを特徴とする開閉蓋付きの万年筆。【選択図】図２
2019010759.tif 000002
【特許請求の範囲】
【請求項１】
軸筒の内部にペンとペン芯とを重ねたペン先を前方に有した筆記体を前後動可能に収容し、弾性を有し筒状の弾性先首の前端部に蓋体を弾発部材の弾発力で当接させて前記軸筒の前方を閉塞し、前記軸筒に設けた操作部を操作することにより前記筆記体のペン先部にて前記蓋体を押動して開放する構造の開閉蓋付きの万年筆であって、前記弾性先首における前記蓋体と接触する前端部に、外縁部と内縁部と該外縁部と該内縁部との間に形成した溝部とを設け、当該外縁部の前端面と当該内縁部の前端面にグリスが塗布され、前記溝部にグリスが充填されたことを特徴とする開閉蓋付きの万年筆。
【発明の詳細な説明】
【技術分野】
【０００１】
本発明は、軸筒の内部に筆記体を収容し、開閉可能な蓋体で軸筒の前方を密閉する構造の開閉蓋付きの万年筆に関する。
【背景技術】
【０００２】
従来より、軸筒の前方に蓋体を設けることでインキの乾燥防止や埃の侵入を防止する構造の万年筆は知られており、当該万年筆は軸筒に設けた操作体を操作することにより、軸筒内の筆記体を前進移動させてペン先で蓋体を押し開き、軸筒からペン先を突出させる構造の万年筆が、特許文献１（実開昭５８−３９８８９号公報）や特許文献２（特開２００７−１１８３４７号公報）で開示されている。
特許文献１や特許文献２に見られる万年筆では、軸筒に対して蓋体が前後方向へ傾斜して配設されており、当該蓋体の後端側が軸棒で係止され、当該軸棒を基点にして開閉する構造である。蓋体が閉じた状態においては、蓋体の裏面が軸筒の内部に配設した弾性を有する弾性先首の前端部に対して当接して、気密を保つ構造となっている。
【先行技術文献】
【特許文献】
【０００３】
【特許文献１】実開昭５８−３９８８９号公報
【特許文献２】特開２００７−１１８３４７号公報
【発明の概要】
【発明が解決しようとする課題】
【０００４】
ところで前記構造の万年筆では、蓋体を、バネの弾発力で弾性先首に当接させて閉塞させることから、気密性を向上させるためには、バネの弾発力を高く設定することが一つの手法として考えられる。
しかしながら、前記万年筆では、筆記体が、軸筒の内部に配設したスプリングにより後方へ弾発されており、操作体を操作して軸筒からペン先を突出させる際には、このスプリングの弾発力に加えて、蓋体を閉塞する前記バネの弾発力にも対抗して操作する必要があることから、蓋体を閉塞するバネの弾発力を高く設定することで、操作性を悪くしてしまう虞があった。
また、前記構造の万年筆では、ペンの先端へ設けた硬いペンポイントが蓋体に摺接しながら、当該蓋体を開閉する構造になっていることから、筆記体が前進する際には、ペンポイントがバネの弾発力で強く閉じられた蓋体の裏面に摺接して当該蓋体の裏面をすり減らしてしまったり、筆記体が後退する際にも、蓋体の前端部にペンポイントが触れてしまい、同じく該蓋体の裏面をすり減らしてしまったり、結果的に、蓋体による気密性を悪くしてしまう虞があった。
【０００５】
本発明では、前記問題点を鑑みて、気密性が高い開閉蓋付きの万年筆を得ることを目的とする。
【課題を解決するための手段】
【０００６】
本発明は、
「軸筒の内部にペンとペン芯とを重ねたペン先を前方に有した筆記体を前後動可能に収容し、弾性を有し筒状の弾性先首の前端部に蓋体を弾発部材の弾発力で当接させて前記軸筒の前方を閉塞し、前記軸筒に設けた操作部を操作することにより前記筆記体のペン先部にて前記蓋体を押動して開放する構造の開閉蓋付きの万年筆であって、前記弾性先首における前記蓋体と接触する前端部に、外縁部と内縁部と該外縁部と該内縁部との間に形成した溝部とを設け、当該外縁部の前端面と当該内縁部の前端面にグリスが塗布され、前記溝部にグリスが充填されたことを特徴とする開閉蓋付きの万年筆。」である。
【０００７】
弾性先首の前端部に設ける溝部は、当該溝部に充填するグリスを保持させるよう、深さや巾を設定すればよく、またその断面形状は特に限定されるものではなく、Ｖ形状やＵ形状や半円形状や四角形状など適宜選定することができる。
弾性先首は、ニトリルゴム、フッ素ゴム、シリコンゴムなどの弾性材料で成形することができる。
グリスは、フッ素系グリス、シリコン系グリスがインキへの影響が少なく好適である。
また、弾性先首の外縁部と内縁部を、蓋体が当接した際に弾性変形されるように形成することにより、蓋体がバネで弾性先首の前端部に当接した状態において、弾性先首の溝部内のグリスが蓋体の裏面に押し付けられるように密着して、軸筒内の気密性を向上させることができる。
外縁部および内縁部を弾性変形させる場合、その肉厚は、弾性先首を成形する弾性材料の硬度や形状、また蓋体を弾性先首に当接させるバネの弾発力などを考慮して適宜設定すればよい。
【発明の効果】
【０００８】
本発明によれば、気密性が高い開閉蓋付きの万年筆を得ることができる。
【図面の簡単な説明】
【０００９】
【図１】図１は、本実施の形態の万年筆を示す縦断面図である。
【図２】図２は、要部拡大図である。
【図３】図３は、図２の内部を前方から見た図である。
【図４】図４は、図２のＡ−Ａ線断面図である。
【図５】図５は、弾性先首の前端面を前方から見た図である。
【図６】図６は、ペン先が没入した状態を示す前方断面図である。
【図７】図７は、ペン先が没入した状態における後方断面図である。
【図８】図８は、ペン先が突出した状態における後方断面図である。
【図９】図９は、ペン先が突出した状態を示す前方断面図である。
【発明を実施するための形態】
【００１０】
次に図を用いて、本実施の形態の万年筆について説明を行う。
本実施の形態では、ペン先がある方を前方と表現し反対側を後方と表現する。
図１は、本実施の形態の万年筆を示す縦断面図で、図２は、要部拡大図である。図３は、図２の内部を前方から見た図で、図４は、図２のＡ−Ａ線断面図である。図５は、弾性先首の前端面を前方から見た図である。図６は、ペン先が没入した状態における前方断面図であり、図７は、ペン先が没入した状態における後方断面図である。
【００１１】
万年筆１は、前軸２と後軸３とを螺合した軸筒４の後方部にノック体５を配設し、ペン先６の後方にインキタンク７を備えた筆記体８を内部に収容している。
ペン先６は、ペン６１とペン芯６２とで構成し、ペン６１の先端には、ビッカース硬さが７００ＨＶのオスミウム基合金で成形したペンポイント６１ａを設けてあり、耐摩耗性を向上させている。
【００１２】
前軸２の前方部には先端開口９ａを有する先端カバー９を固設し一体としてある。
また、先端カバー９の内側となる前軸２の前方部には中空パイプ１０を装着してあり、中空パイプ１０の前方には弾性を有し前後が開口する弾性先首１１を装着し、弾性先首１１の前端部１１１を押さえバネ１２により弾発された蓋体１３で閉塞してある。
【００１３】
図に示す通り、万年筆１は、押さえバネ１２として捻りコイルバネを使用している。この押さえバネ１２は、第一アーム１２ａを蓋体１３の係止部１３ａに係止してあり、コイル部１２ｂを蓋体１３の支持部１３ｂと共に中空パイプ１０に固設した軸棒１５で軸着してあり、第二アーム１２ｃを中空パイプ１０の側面に当接させている。
【００１４】
前記弾性先首１１の前端部１１１には、外縁部１１２と内縁部１１３と該外縁部１１２と該内縁部１１３との間に設けた半円形状の溝部１１４とを設けてあり、当該外縁部１１２の前端面１１２ａと当該内縁部１１３の前端面１１３ａにはフッ素系のグリスＧを塗布し、溝部１１４にも同じくグリスＧを充填してある。したがって、蓋体１３が、弾性先首１１の前端部１１１に当接する際には、押さえバネ１２による弾性先首１１の前端部１１１と蓋体１３との密着性に加えて、グリスＧが前端部１１１と蓋体１３との微細な隙間を埋めることによる密着性が得られて、気密性を向上させることができる。
尚、本実施の形態では、弾性先首１１をニトリルゴム（ショアＡ硬度７０）で成形し、外縁部１１２および内縁部１１３の厚みが最小となる箇所（前端面１１２ａ，１１３ａの近傍）が０．１３ｍｍとなるよう薄肉で形成してあることから、蓋体１３が、押さえバネ１２の弾発力で弾性先首１１の前端部１１１に当接した際には、外縁部１１２と内縁部１１３が軸方向（後方）および軸径方向に弾性変形して、溝部１１４に充填されたグリスＧが、蓋体１３の裏面１３ｃに押し付けられるように密着して、軸筒内の気密性を向上させることができる。
【００１５】
図７に示すように、後軸３の後端開口部３ａより突出したノック体５は、有底の薄肉の金属材からなるノックカバー１６を両端が開口した筒状の樹脂材からなるノック部材１７に被着してある。また、ノック部材１７の内部には、筆記体８の後端に当接したスライダ１８を摺動可能に配設してあり、スライダ１８とノック部材１７との間にはバネ１９を配設し双方が離間する方向へ弾発してある。尚、スライダ１８は後端に凸部１８ａを形成しノック部材１７の内面には凸部１７ａを形成して当接するようにしてある。
【００１６】
また、ノック部材１７には、前端部に第一大径部１７ｂを形成し、ノック体５を軸筒４に配設した状態で後軸３の内側となる位置に第二大径部１７ｃを形成し、後端部に薄肉の第三大径部１７ｄを形成してある。図に示すようにノック部材１７とノックカバー１６とは、ノックカバー１６の内面１６ａにノック部材１７の第二大径部１７ｃと第三大径部１７ｄとが密接するように圧入してある。尚、ノックカバー１６を装着した状態でノック部材１７の第一大径部１７ｂはノックカバー１６の前端から突出している。また、ノック部材１７の第一大径部１７ｂの外面には円周状の溝部１７ｅを設けてあり、溝部１７ｅにはＯリング２０を嵌着してある。図に示すように、スプリング１４で弾発された筆記体８に当接したスライダ１８とバネ１９の弾発力によりノック体５が後退し、後軸４の後部内面４ａにＯリング２０が密着した状態となっている。
【００１７】
図８は、ノック体をノック操作したときの後部拡大図である。図に示すように軸筒４の後部にあるノック体５を前方へ押圧することにより、詳述はしないが、軸筒内に配した回転カム機構（図示せず）が作動して、筆記体８のペン先６が前方移動しながら蓋体１３が軸棒１５を軸心に回転して開かれる（図９参照）。
【００１８】
図９を用いて前記操作時における万年筆の前方部を説明すると、筆記体８のペン先６の前方移動によって弾性先首１１の前端部１１１を密閉していた蓋体１３が開かれ、先端カバー９の先端開口９ａからペン先６が突出される。この時、スプリング１４は、前軸２の内面に形成した突部２ａと筆記体８の段部８ａとの間で圧縮される。
【００１９】
再度ノック体５をノック操作することにより、ペン先６は先端開口９ａに没入し、押さえバネ１２の弾発力により蓋体１３が弾性先首１１の前端部１１１に当接して、軸筒を密閉する（図２、図６参照）。
【符号の説明】
【００２０】
１…万年筆、
２…前軸、２ａ…内段、
３…後軸、３ａ…後端開口部、
４…軸筒、４ａ…後部内面、
５…ノック体、
６…ペン先、６１…ペン、６１ａ…ペンポイント、６２…ペン芯、６２ａ…前方部、
７…インキタンク、
８…筆記体、８ａ…外段、
９…先端カバー、９ａ…先端開口、
１０…中空パイプ、
１１…弾性先首、１１１…前端部、１１２…外縁部、１１２ａ…前端面、１１３…内縁部、１１３ａ…前端面、１１４…溝部、
Ｇ…グリス、
１２…押さえバネ、１２ａ…第一アーム、１２ｂ…コイル部、１２ｃ…第二アーム、
１３…蓋体、１３ａ…係止部、１３ｂ…支持部、１３ｃ…裏面、
１４…スプリング、
１５…軸棒、
１６…ノックカバー、１６ａ…内面、
１７…ノック部材、１７ａ…凸部、１７ｂ…第一大径部、１７ｃ…第二大径部、１７ｄ…第三大径部、１７ｅ…溝部、１７ｆ…最大径部、
１８…スライダ、１８ａ…凸部、
１９…バネ、
２０…Ｏリング。
【図１】
2019010759.tif 000003
【図２】
2019010759.tif 000004
【図３】
2019010759.tif 000005
【図４】
2019010759.tif 000006
【図５】
2019010759.tif 000007
【図６】
2019010759.tif 000008
【図７】
2019010759.tif 000009
【図８】
2019010759.tif 000010
【図９】
2019010759.tif 000011